(57)【要約】【課題】印刷物の印刷に要する時間が短縮される印刷物を提供する。【解決手段】印刷物１は第１印刷方法により印刷されたコモンコード２０と、ランダムな模様の印刷についてインクジェット印刷よりも高速な第２印刷方法により印刷されたユニークコード５０とを含む。【選択図】図１
2019171612.tif 000002
【特許請求の範囲】
【請求項１】
第１印刷方法により印刷されたコモンコードと、
ランダムな模様の印刷についてインクジェット印刷よりも高速な第２印刷方法により印刷されたユニークコードとを含む
印刷物。
【請求項２】
前記第２印刷方法はラメ印刷である
請求項１に記載の印刷物。
【請求項３】
前記第１印刷方法は通常のインクを用いる凹版印刷であり、
前記第２印刷方法はラメ粒子を含むインクを用いる凹版印刷である
請求項１または２に記載の印刷物。
【請求項４】
前記コモンコードおよび前記ユニークコードはコードリーダにより一括して読み取ることができるように所定領域内に印刷される
請求項１〜３のいずれか一項に記載の印刷物。
【請求項５】
前記コモンコードはマトリックス型２次元コードであり、
前記ユニークコードは前記コモンコードのフレーム内に印刷される
請求項１〜４のいずれか一項に記載の印刷物。
【発明の詳細な説明】
【技術分野】
【０００１】
本発明はコードが印刷された印刷物に関する。
【背景技術】
【０００２】
食品および飲料のパッケージをはじめとする様々な印刷物に、コードリーダにより読み取られるコードが印刷される。特許文献１は従来の印刷物の一例を開示している。
【先行技術文献】
【特許文献】
【０００３】
【特許文献１】特開２００７−６３４０３号公報
【発明の概要】
【発明が解決しようとする課題】
【０００４】
印刷物の生産効率を高める点からコードの印刷に要する時間は短いことが好ましい。
【課題を解決するための手段】
【０００５】
(１)本発明に関する印刷物は第１印刷方法により印刷されたコモンコードと、ランダムな模様の印刷についてインクジェット印刷よりも高速な第２印刷方法により印刷されたユニークコードとを含む。
ユニークコードは個々の印刷物に固有の情報を含む。印刷されるユニークコードの表示内容は印刷物毎に異なる。上記印刷物によれば、コモンコードとユニークコードとが個別に印刷される。さらに、印刷物毎に異なるユニークコードが第２印刷方法により印刷される。このため、ユニークコードがインクジェット印刷により印刷される場合と比較して、印刷物の印刷に要する時間が短縮される。
【０００６】
(２)好ましい例では(１)に記載の印刷物において、前記第２印刷方法は、ラメ印刷である。
ラメ印刷によれば、印刷物にインクを塗布するだけで印刷物毎に異なる柄のユニークコードが印刷される。このため、印刷物の印刷に要する時間が一層短縮される。
【０００７】
(３)好ましい例では(１)または(２)に記載の印刷物において、前記第１印刷方法は通常のインクを用いる凹版印刷であり、前記第２印刷方法はラメ粒子を含むインクを用いる凹版印刷である。
凹版印刷の一連の印刷工程でコモンコードおよびユニークコードの印刷が完了するため、印刷物の印刷に要する時間が一層短縮される。
【０００８】
(４)好ましい例では(１)〜(３)のいずれか一項に記載の印刷物において、前記コモンコードおよび前記ユニークコードはコードリーダにより一括して読み取ることができるように所定領域内に印刷される。
このため、コモンコードおよびユニークコードをコードリーダにより速やかに読み取ることができる。
【０００９】
(５)好ましい例では(１)〜(４)のいずれか一項に記載の印刷物において、前記コモンコードはマトリックス型２次元コードであり、前記ユニークコードは前記コモンコードのフレーム内に印刷される。
このため、コードリーダはマトリックス型２次元コードのアライメントパターンを利用してユニークコードを補正できる。
【発明の効果】
【００１０】
本発明に関する印刷物によれば、印刷物の印刷に要する時間が短縮される。
【図面の簡単な説明】
【００１１】
【図１】実施形態の印刷物の正面図。
【図２】図１のコモンコードおよびユニークコードの拡大図。
【図３】図２のＤ３−Ｄ３線に沿う断面図。
【図４】印刷物の製造方法の第１工程を示す模式図。
【図５】コードリーダによりコモンコードおよびユニークコードが読み取られている最中の図。
【発明を実施するための形態】
【００１２】
図１に示されるように、コモンコード２０およびユニークコード５０は印刷物１に印刷される。この印刷物１はパウチの袋である。コモンコード２０およびユニークコード５０の印刷対象はパウチの袋に限らず任意に選択できる。その一例は、ボトル型の容器、蓋、ラベル、および、箱である。パウチの袋を構成する材料は樹脂製のシート１０である。以下の説明では、各コード２０、５０が印刷される前の印刷物１を印刷対象物と称する。
【００１３】
各コード２０、５０はコードリーダ２００(図５参照)により読み取ることができる情報を含む。各コード２０、５０が含む情報の一例は、トレーサビリティのための情報、および、消費者に提供される情報である。消費者に提供される情報の一例はキャンペーンの案内である。
【００１４】
コモンコード２０の一例はマトリックス型２次元コード、コモンコード２０はスタック型２次元コード、および、バーコードである。図示される例ではコモンコード２０はマトリックス型２次元コードである。コモンコード２０はコードリーダ２００により読み取られる共通情報を含む。共通情報は複数の印刷物１に共通の情報である。複数の印刷物１は例えば同一のロットに含まれる。共通情報の一例はパウチの内容物の製造者、内容物の品名、内容物の原材料名、および、内容物の保存方法である。
【００１５】
コモンコード２０は第１印刷方法により印刷対象物に印刷される。第１印刷方法は任意に選択できる。その一例は、通常のインクを用いた凹版印刷、凸版印刷、平版印刷、および、孔版印刷である。凹版印刷の一例はグラビア印刷である。図示される例では、通常のインクを用いたグラビア印刷によりコモンコード２０が印刷されている。通常のインクとは、同一の版を用いて印刷される場合にどの印刷対象物に対しても同じ像を形成するインクである。具体例としては染料インクおよび顔料インクが挙げられる。
【００１６】
コモンコード２０の種類は任意に選択できる。図１等に示される第１例では、コモンコード２０はマトリックス型２次元コードである。このため、コードリーダ２００はマトリックス型２次元コードのアライメントパターン４２(図２参照)を利用してユニークコード５０を補正できる。第２例では、コモンコード２０はスタック型２次元コード、または、バーコードである。コモンコード２０はコードリーダ２００により読み取られる共通情報を含む。共通情報は同じ種類の内容物を収容する印刷物１に共通の情報である。共通情報の一例は内容物の製造者名、内容物の品名、内容物の原材料名、および、内容物の保存方法である。共通情報はサーバーに保存される。
【００１７】
図２に示されるように、コモンコード２０を構成するセルはデータセル３０および機能セル４０に区分される。データセル３０および機能セル４０の周囲にはクワイエットゾーン４５が設けられる。データセル３０は共通情報を表現するセルである。機能セル４０はファインダパターン４１、アライメントパターン４２、タイミングパターン４３、および、フォーマット情報４４を含む。ファインダパターン４１はコモンコード２０の位置の検出に利用されるセルである。アライメントパターン４２は歪みによって生じる各セル３０、４０の位置ずれの補正に利用されるセルである。タイミングパターン４３はコモンコード２０のモジュール座標を決定するために利用されるセルである。フォーマット情報４４はコモンコード２０に使用されている誤り訂正率、および、マスクパターンに関する情報を含むセルである。
【００１８】
ユニークコード５０は第２印刷方法により印刷対象物に印刷される。第２印刷方法はランダムな模様の印刷についてインクジェット印刷よりも高速な印刷方法である。第１例では、第２印刷方法はラメ粒子を含むインク(以下「ラメインク」)を用いた凹版印刷(ラメ印刷)である。凹版印刷の一例はグラビア印刷である。ラメ印刷によれば、印刷物１にインクを塗布するだけで印刷物１毎に異なる柄のユニークコード５０が印刷される。このため、印刷物１の印刷に要する時間が一層短縮される。また、凹版印刷の一連の印刷工程でコモンコード２０およびユニークコード５０の印刷が完了するため、印刷物１の印刷に要する時間が一層短縮される。第２例では、第２印刷方法は有機微粒子、無機微粒子、および、有機無機複合微粒子の少なくとも１つを含むインク(以下「微粒子含有インク」)を用いた凹版印刷である。第３例では、第２印刷方法はラメインクまたは微粒子含有インクを用いた凸版印刷、平版印刷、または、孔版印刷である。
【００１９】
ラメインクに含まれるラメ粒子のフェレ径は任意に選択できる。フェレ径の最大値の一例は０．５ｍｍである。フェレ径の最小値の一例は０．０３ｍｍである。フェレ径の好ましい一例は０．１ｍｍである。ラメ粒子の色は任意に選択できる。一例では、ラメ粒子の色は黒である。ユニークコード５０はコードリーダ２００(図５参照)により読み取ることができる固有情報を含む。固有情報は印刷物１のロッドごとに異なる情報(以下「第１固有情報」)、または、印刷物１ごとに異なる情報(以下「第２固有情報」)である。第１固有情報の一例は内容物の消費期限、内容物の賞味期限、内容物の製造年月日、および、ロット番号である。第２固有情報の一例はキャンペーンの当選結果に関する情報である。ユニークコード５０のランダムに配置されるラメ粒子の位置と固有情報とが紐付けてサーバーに保存される。このように、共通情報と固有情報とが異なるコードを用いて管理されているため、例えば共通情報および固有情報を含むユニークコードのみを印刷対象物に印刷する場合よりも、サーバーに保存される共有情報および固有情報の容量を低減できる。
【００２０】
印刷対象物における各コード２０、５０が印刷される位置は任意に選択できる。好ましい例では、各コード２０、５０はコードリーダ２００(図５参照)により一括して読み取ることができるように印刷対象物における所定領域内に印刷される。所定領域とは、印刷物１に対するコードリーダ２００の読取部の距離が所定距離以下である場合に、読取部がコモンコード２０およびユニークコード５０の両方を読み取ることができる印刷物１上の領域である。所定距離は印刷物１に対する読取部の距離について、読取部がコモンコード２０およびユニークコード５０を正確に読み取ることができる最も長い距離である。各コード２０、５０が所定領域に印刷される場合、コモンコード２０およびユニークコード５０をコードリーダ２００により速やかに読み取ることができる。図２等に示される第１例では、ユニークコード５０はコモンコード２０のフレーム２０Ａ内に印刷される。好ましい例では、ユニークコード５０はフレーム２０Ａ内の中央に印刷される。このため、コードリーダ２００はマトリックス型２次元コードのアライメントパターン４２(図２参照)を利用してユニークコード５０を補正できる。第２例では、ユニークコード５０はコモンコード２０のフレーム２０Ａ外に印刷される。印刷対象物を構成するシート１０が透明の材料である場合、図３に示されるように、シート１０の裏面に遮蔽層７０が設けられる。遮蔽層７０は例えば白色のインクが印刷された層である。各コード２０、５０は遮蔽層７０とシート１０との間に設けられる。このため、各コード２０、５０がシート１０から剥がれにくい。
【００２１】
図４を参照して、印刷物１の製造方法の一例について説明する。
印刷物１の製造方法は第１工程、第２工程、および、第３工程を含む。第１工程はシート１０にユニークコード５０(図２参照)を印刷する工程である。第１工程では、シリンダ３１０がインク溜め３２０に浸され、シリンダ３１０のセル３１０Ａがラメインクで満たされる。シリンダ３１０に付着しているラメインクのうちセル３１０Ａから飛び出したラメインクはシリンダ３１０の版面３１０Ｂに圧着されるドクターブレード３３０によりそぎ落とされる。複数の搬送ローラ３４０によって搬送されるシート１０は圧着ローラ３５０とシリンダ３１０とに挟みこまれる。ラメインクが均一にシート１０へ移るように圧着ローラ３５０がシリンダ３１０の上でシート１０を押すことにより、ラメインクがセル３１０Ａからシート１０に転移する。
【００２２】
ユニークコード５０が印刷されたシート１０は乾燥機３６０に搬送され、ラメインクが乾燥される。第２工程は第１工程の後に実施される。第２工程はシート１０にコモンコード２０を印刷する工程である。第２工程では、ラメインクに代えて通常のインクが用いられる以外は第１工程と同様の手順によりコモンコード２０がシート１０に印刷される。なお、第２工程を第１工程よりも前に実施してもよい。第３工程は第１工程および第２工程の後に実施される。第３工程はシート１０に遮蔽層７０を印刷する工程である。第３工程では、第１工程および第２工程と同様の手順により、遮蔽性を有するインクがシート１０の全体に印刷される。なお、シート１０自体が遮蔽性を有する材料により構成される場合、第３工程は省略される場合がある。
【００２３】
図５を参照して、印刷物１の使用方法の一例について説明する。
一例では、コードリーダ２００はコモンコード２０およびユニークコード５０を一括して読み取るように構成されたアプリケーションがインストールされたスマートフォンである。コードリーダ２００のカメラにより各コード２０、５０が撮影されることにより各コード２０、５０の情報が読み取られる。コードリーダ２００による各コード２０、５０の読み取りが成功した場合、コードリーダ２００の画面２００Ａに共通情報に関するＵＲＬ、および、固有情報に関するＵＲＬが表示される。ユーザはこれらのＵＲＬにアクセスすることにより、共通情報および固有情報を取得する。
【００２４】
印刷物１によれば、次のような作用および効果が得られる。
ユニークコード５０は個々の印刷物１毎に固有の情報を含む。印刷されるユニークコード５０の表示内容は印刷物１毎に異なる。印刷物１によれば、コモンコード２０とユニークコード５０とが個別に印刷される。さらに、印刷物１毎に異なるユニークコード５０が第２印刷方法により印刷される。このため、ユニークコード５０がインクジェット印刷により印刷される場合と比較して、印刷物１の印刷に要する時間が短縮される。
【００２５】
(変形例)
なお、上記実施形態は本発明に関する印刷物が取り得る形態の例示であり、その形態を制限することを意図していない。本発明に関する印刷物は実施形態に例示された形態とは異なる形態を取り得る。その一例は、実施形態の構成の一部を置換、変更、もしくは、省略した形態、または、実施形態に新たな構成を付加した形態である。
【符号の説明】
【００２６】
１    ：印刷物
２０  ：コモンコード
２０Ａ：フレーム
５０  ：ユニークコード
２００：コードリーダ
【図１】
2019171612.tif 000003
【図２】
2019171612.tif 000004
【図３】
2019171612.tif 000005
【図４】
2019171612.tif 000006
【図５】
2019171612.tif 000007